(57)【特許請求の範囲】
【請求項１】
画像処理を行う画像処理部と、
前記画像処理部の前記画像処理の開始指示を操作者の接触操作により受け付ける開始操作部と、
前記開始操作部に設けられ、当該開始操作部に対して前記操作者が前記接触操作を行うときに当該開始操作部に接触している当該操作者の操作部位から当該操作者の健康管理に関する生体情報を検出する検出部と、
前記健康管理に関する生体情報の検出の要否に関する要否情報を記憶する要否情報記憶部と、
を備え、
前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする画像処理装置。
【請求項２】
前記健康管理に関する生体情報は、脈拍、体温、心電図、血圧および体脂肪率の少なくともいずれか１つであることを特徴とする請求項１に記載の画像処理装置。
【請求項３】
前記開始操作部は、前記画像処理の開始を指示する指示信号を発生するスイッチを有し、
前記検出部は、前記操作者の前記操作部位が前記スイッチにて前記指示信号を発生させる位置に移行した際に当該操作部位にて前記健康管理に関する生体情報を検出する検出センサを有することを特徴とする請求項１または２に記載の画像処理装置。
【請求項４】
画像処理を行う画像処理部と、
前記画像処理部の前記画像処理の開始指示を操作者の接触操作により受け付ける開始操作キーと、
前記開始操作キーに設けられ、当該開始操作キーに対して前記操作者が前記接触操作を行うときに当該開始操作キーに接触している当該操作者の操作部位から当該操作者の健康管理に関する生体情報を検出する検出部と、
前記健康管理に関する生体情報の検出の要否に関する要否情報を記憶する要否情報記憶部と、
を備え、
前記操作者の前記生体情報の検出が不要であることを前記要否情報が示す場合、当該操作者が前記開始操作キーに対して第１の時間以上の前記接触操作を行うことで、前記生体情報を検出せずに前記画像処理が開始され、
前記操作者の前記生体情報の検出が必要であることを前記要否情報が示す場合、当該操作者が前記開始操作キーに対して前記第１の時間よりも長い第２の時間以上の前記接触操作を行うことで、前記生体情報が検出されるとともに前記画像処理が開始されることを特徴とする画像処理装置。
【請求項５】
画像処理を行う画像処理装置と、
前記画像処理装置の前記画像処理の開始指示を操作者の接触操作により受け付ける開始操作部と、
前記開始操作部に設けられ、当該開始操作部に対して前記操作者が前記接触操作を行うときに当該開始操作部に接触している当該操作者の操作部位から当該操作者の健康管理に関する生体情報を検出する検出部と、
前記開始操作部にて前記接触操作を受け付けた際に前記検出部が検出した前記健康管理に関する生体情報を送信する送信部と、
前記健康管理に関する生体情報の検出の要否に関する要否情報を記憶する要否情報記憶部と、
を備え、
前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする画像処理システム。
【請求項６】
画像処理を行う画像処理装置に接続され、
前記画像処理装置の前記画像処理の開始指示を操作者の接触操作により受け付ける開始操作部と、
前記開始操作部に設けられ、当該開始操作部に対して前記操作者が前記接触操作を行うときに当該開始操作部に接触している当該操作者の操作部位から当該操作者の健康管理に関する生体情報を検出する検出部と、
前記開始操作部にて前記接触操作を受け付けた際に前記検出部が検出した前記健康管理に関する生体情報を送信する送信部と、
前記健康管理に関する生体情報の検出の要否に関する要否情報を記憶する要否情報記憶部と、
を備え、
前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする端末装置。
【請求項７】
情報処理を行う情報処理部と、
前記情報処理部の前記情報処理の開始指示を操作者の接触操作により受け付ける開始操作部と、
前記開始操作部に設けられ、当該開始操作部に対して前記操作者が前記接触操作を行うときに当該開始操作部に接触している当該操作者の操作部位から当該操作者の健康管理に関する生体情報を検出する検出部と、
前記健康管理に関する生体情報の検出の要否に関する要否情報を記憶する要否情報記憶部と、
を備え、
前記操作者の前記生体情報の検出が不要であることを前記要否情報が示す場合、当該操作者が前記開始操作部に対して第１の時間以上の前記接触操作を行うことで、前記生体情報を検出せずに前記情報処理が開始され、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記情報処理が開始されることを特徴とする情報処理装置。
【請求項８】
画像処理装置として機能するコンピュータに、
画像処理の開始指示を、開始操作部に対する操作者の接触操作によって受け付ける機能と、
前記開始操作部に対して前記操作者が前記接触操作を行うときに当該開始操作部に接触している当該操作者の操作部位から当該操作者の健康管理に関する生体情報を検出する機能と、
前記健康管理に関する生体情報の検出の要否に関する要否情報を記憶する機能と、
前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始される機能と、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始される機能と、
を実現させるプログラム。
【請求項９】
画像処理装置として機能するコンピュータに、
画像処理の開始指示を、開始操作キーに対する操作者の接触操作によって受け付ける機能と、
前記開始操作キーに対して前記操作者が前記接触操作を行うときに当該開始操作キーに接触している当該操作者の操作部位から当該操作者の健康管理に関する生体情報を検出する機能と、
前記健康管理に関する生体情報の検出の要否に関する要否情報を記憶する機能と、
前記操作者の前記生体情報の検出が不要であることを前記要否情報が示す場合、当該操作者が前記開始操作キーに対して第１の時間以上の前記接触操作を行うことで、前記生体情報を検出せずに前記画像処理が開始される機能と、
前記操作者の前記生体情報の検出が必要であることを前記要否情報が示す場合、当該操作者が前記開始操作キーに対して前記第１の時間よりも長い第２の時間以上の前記接触操作を行うことで、前記生体情報が検出されるとともに前記画像処理が開始される機能と、
を実現させるプログラム。
【請求項１０】
情報処理装置として機能するコンピュータに、
情報処理の開始指示を、開始操作部に対する操作者の接触操作によって受け付ける機能と、
前記開始操作部に対して前記操作者が前記接触操作を行うときに当該開始操作部に接触している当該操作者の操作部位から当該操作者の健康管理に関する生体情報を検出する機能と、
前記健康管理に関する生体情報の検出の要否に関する要否情報を記憶する機能と、
前記操作者の前記生体情報の検出が不要であることを前記要否情報が示す場合、当該操作者が前記開始操作部に対して第１の時間以上の前記接触操作を行うことで、前記生体情報を検出せずに前記情報処理が開始される機能と、
前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記情報処理が開始される機能と、
を実現させるプログラム。
【発明の詳細な説明】
【技術分野】
【０００１】
本発明は、画像処理装置、画像処理システムおよび端末装置に関する。
【背景技術】
【０００２】
例えば特許文献１には、画像形成装置の操作パネルの両端に電極、右端に指紋による生体認証装置、内部には生体インピーダンス測定部、制御部および時計を設け、生体認証装置で個人認証を済ませた使用者が両手を電極間に接触させると生体インピーダンス測定部で使用者の生体インピーダンスを測定することで体脂肪率を測定でき、使用者毎にその過去の履歴を表やグラフにして表示および用紙に書き出すことができる画像形成装置が開示されている。
【先行技術文献】
【特許文献】
【０００３】
【特許文献１】特開２００６−０３４５８６号公報
【発明の概要】
【発明が解決しようとする課題】
【０００４】
ところで、生体情報を検出するため検出部を、単に画像処理装置に設けると、生体情報の検出と画像処理装置の操作とが無関係に行われるため、生体情報の収集が確実に行われるという保証がなかった。
本発明は、生体情報が収集される確実性を高めることを目的とする。
【課題を解決するための手段】
【０００５】
請求項１記載の発明は、画像処理を行う画像処理部と、前記画像処理部の前記画像処理の開始指示を操作者の接触操作により受け付ける開始操作部と、前記開始操作部に設けられ、当該開始操作部に対して前記操作者が前記接触操作を行うときに当該開始操作部に接触している当該操作者の操作部位から当該操作者の健康管理に関する生体情報を検出する検出部と、前記健康管理に関する生体情報の検出の要否に関する要否情報を記憶する要否情報記憶部と、を備え、前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする画像処理装置である。
請求項２記載の発明は、前記健康管理に関する生体情報は、脈拍、体温、心電図、血圧および体脂肪率の少なくともいずれか１つであることを特徴とする請求項１に記載の画像処理装置である。
請求項３記載の発明は、前記開始操作部は、前記画像処理の開始を指示する指示信号を発生するスイッチを有し、前記検出部は、前記操作者の前記操作部位が前記スイッチにて前記指示信号を発生させる位置に移行した際に当該操作部位にて前記健康管理に関する生体情報を検出する検出センサを有することを特徴とする請求項１または２に記載の画像処理装置である。
請求項４記載の発明は、画像処理を行う画像処理部と、前記画像処理部の前記画像処理の開始指示を操作者の接触操作により受け付ける開始操作キーと、前記開始操作キーに設けられ、当該開始操作キーに対して前記操作者が前記接触操作を行うときに当該開始操作キーに接触している当該操作者の操作部位から当該操作者の健康管理に関する生体情報を検出する検出部と、前記健康管理に関する生体情報の検出の要否に関する要否情報を記憶する要否情報記憶部と、を備え、前記操作者の前記生体情報の検出が不要であることを前記要否情報が示す場合、当該操作者が前記開始操作キーに対して第１の時間以上の前記接触操作を行うことで、前記生体情報を検出せずに前記画像処理が開始され、前記操作者の前記生体情報の検出が必要であることを前記要否情報が示す場合、当該操作者が前記開始操作キーに対して前記第１の時間よりも長い第２の時間以上の前記接触操作を行うことで、前記生体情報が検出されるとともに前記画像処理が開始されることを特徴とする画像処理装置である。
請求項５記載の発明は、画像処理を行う画像処理装置と、前記画像処理装置の前記画像処理の開始指示を操作者の接触操作により受け付ける開始操作部と、前記開始操作部に設けられ、当該開始操作部に対して前記操作者が前記接触操作を行うときに当該開始操作部に接触している当該操作者の操作部位から当該操作者の健康管理に関する生体情報を検出する検出部と、前記開始操作部にて前記接触操作を受け付けた際に前記検出部が検出した前記健康管理に関する生体情報を送信する送信部と、前記健康管理に関する生体情報の検出の要否に関する要否情報を記憶する要否情報記憶部と、を備え、前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする画像処理システムである。
請求項６記載の発明は、画像処理を行う画像処理装置に接続され、前記画像処理装置の前記画像処理の開始指示を操作者の接触操作により受け付ける開始操作部と、前記開始操作部に設けられ、当該開始操作部に対して前記操作者が前記接触操作を行うときに当該開始操作部に接触している当該操作者の操作部位から当該操作者の健康管理に関する生体情報を検出する検出部と、前記開始操作部にて前記接触操作を受け付けた際に前記検出部が検出した前記健康管理に関する生体情報を送信する送信部と、前記健康管理に関する生体情報の検出の要否に関する要否情報を記憶する要否情報記憶部と、を備え、前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始され、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始されることを特徴とする端末装置である。
請求項７記載の発明は、情報処理を行う情報処理部と、前記情報処理部の前記情報処理の開始指示を操作者の接触操作により受け付ける開始操作部と、前記開始操作部に設けられ、当該開始操作部に対して前記操作者が前記接触操作を行うときに当該開始操作部に接触している当該操作者の操作部位から当該操作者の健康管理に関する生体情報を検出する検出部と、前記健康管理に関する生体情報の検出の要否に関する要否情報を記憶する要否情報記憶部と、を備え、前記操作者の前記生体情報の検出が不要であることを前記要否情報が示す場合、当該操作者が前記開始操作部に対して第１の時間以上の前記接触操作を行うことで、前記生体情報を検出せずに前記情報処理が開始され、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記情報処理が開始されることを特徴とする情報処理装置である。
請求項８記載の発明は、画像処理装置として機能するコンピュータに、画像処理の開始指示を、開始操作部に対する操作者の接触操作によって受け付ける機能と、前記開始操作部に対して前記操作者が前記接触操作を行うときに当該開始操作部に接触している当該操作者の操作部位から当該操作者の健康管理に関する生体情報を検出する機能と、前記健康管理に関する生体情報の検出の要否に関する要否情報を記憶する機能と、前記操作者の前記生体情報の検出が不要であることを前記要否情報が示す場合、当該操作者が前記開始操作部に対して第１の時間以上の前記接触操作を行うことで、前記生体情報を検出せずに前記画像処理が開始される機能と、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記画像処理が開始される機能と、を実現させるプログラムである。
請求項９記載の発明は、画像処理装置として機能するコンピュータに、画像処理の開始指示を、開始操作キーに対する操作者の接触操作によって受け付ける機能と、前記開始操作キーに対して前記操作者が前記接触操作を行うときに当該開始操作キーに接触している当該操作者の操作部位から当該操作者の健康管理に関する生体情報を検出する機能と、前記健康管理に関する生体情報の検出の要否に関する要否情報を記憶する機能と、前記操作者の前記生体情報の検出が不要であることを前記要否情報が示す場合、当該操作者が前記開始操作キーに対して第１の時間以上の前記接触操作を行うことで、前記生体情報を検出せずに前記画像処理が開始される機能と、前記操作者の前記生体情報の検出が必要であることを前記要否情報が示す場合、当該操作者が前記開始操作キーに対して前記第１の時間よりも長い第２の時間以上の前記接触操作を行うことで、前記生体情報が検出されるとともに前記画像処理が開始される機能と、を実現させるプログラムである。
請求項１０記載の発明は、情報処理装置として機能するコンピュータに、情報処理の開始指示を、開始操作部に対する操作者の接触操作によって受け付ける機能と、前記開始操作部に対して前記操作者が前記接触操作を行うときに当該開始操作部に接触している当該操作者の操作部位から当該操作者の健康管理に関する生体情報を検出する機能と、前記健康管理に関する生体情報の検出の要否に関する要否情報を記憶する機能と、前記操作者の前記生体情報の検出が不要であることを前記要否情報が示す場合、当該操作者が前記開始操作部に対して第１の時間以上の前記接触操作を行うことで、前記生体情報を検出せずに前記情報処理が開始される機能と、前記操作者の前記生体情報の検出が必要であることを前記要否情報が示す場合、当該操作者が前記開始操作部に対して前記第１の時間よりも長い第２の時間以上の前記接触操作を行うことで、前記生体情報が検出されるとともに前記情報処理が開始される機能と、を実現させるプログラムである。
【発明の効果】
【０００６】
請求項１、４、５、６、７、８、９および１０の発明によれば、生体情報の検出の要否に関する要否情報に基づいて、生体情報の検出の精度を高めたり、操作者の利便性を向上させたりすることが可能になる。
請求項２の発明によれば、操作者の操作部位から得られる健康管理に関する生体情報を収集することができる。
請求項３の発明によれば、操作者のスイッチ操作に付随させて健康管理に関する生体情報を確実に検出することができる。
【図面の簡単な説明】
【０００７】
【図１】実施形態１の画像処理システムの全体構成例を示した図である。
【図２】実施形態１に係る画像処理装置のハードウェア構成例を示した図である。
【図３】（ａ）および（ｂ）は実施形態１のスタートキーを示す図である。
【図４】実施形態１の画像処理装置の機能構成例を示したブロック図である。
【図５】（ａ）および（ｂ）は実施形態３の画像処理システムを説明するための図である。
【図６】（ａ）および（ｂ）は実施形態４が適用される端末装置を示す図である。
【発明を実施するための形態】
【０００８】
以下、添付図面を参照して、本発明の実施形態について詳細に説明する。
＜実施形態１＞
図１は、実施形態１の画像処理システム１の全体構成例を示した図である。
［画像処理システム１］
図１に示すように、画像処理システム１は、画像処理装置１０と、端末装置２１と、携帯端末装置２２とを備えている。画像処理装置１０、端末装置２１および携帯端末装置２２とは、ネットワークを介して相互に通信を行う。そして、実施形態１では、画像処理装置１０を軸とする画像処理システム１を構成している。
【０００９】
〔画像処理装置１０の概略構成〕
画像処理装置１０は、用紙等の記録媒体に画像を形成したり、原稿の画像を読み取ったりする装置である。画像処理装置１０としては、例えばコピー機能のみを有するものを用いても良いが、実施形態１では、プリント機能に加えて、スキャン機能、コピー機能、ファクシミリ機能等の他の画像処理機能を有するものを用いている。
【００１０】
〔端末装置２１および携帯端末装置２２の概略構成〕
端末装置２１は、画像処理装置１０の各種機能を実行する際にも用いられる固定型の端末装置であり、例えばＰＣ（Personal Computer）等が該当する。
携帯端末装置２２は、画像処理装置１０の各種機能を実行する際に用いられる携帯型の端末装置であり、例えば、スマートフォン、スレート端末、モバイル型ＰＣ等が該当する。
実施形態１では、端末装置２１や携帯端末装置２２は、画像処理装置１０の外部に設けられている。そして、端末装置２１や携帯端末装置２２は、画像処理装置１０に対してプリント機能の実行指示や、ファクシミリ機能の実行指示を送信する。また、端末装置２１や携帯端末装置２２は、後述する生体情報管理データを受信できるように構成されている。
【００１１】
なお、実施形態１では、画像処理装置１０は、まず、画像処理装置１０を使用するユーザについて、認証に用いられる情報（以下、認証情報と称する）を受け付けてユーザ認証を行う。認証情報は、例えば、ユーザを識別するための識別情報であるユーザＩＤ及びパスワード等である。そして、実施形態１では、ユーザの承認後に、画像処理装置１０を利用できるようにしている。
【００１２】
〔画像処理装置１０のハードウェア構成〕
図２は、実施形態１に係る画像処理装置１０のハードウェア構成例を示した図である。
ＣＰＵ（Central Processing Unit）１０１は、ＲＯＭ（Read Only Memory）１０２等に記憶された各種プログラムをＲＡＭ（Random Access Memory）１０３にロードして実行することにより、画像処理装置１０の主たる制御を行い、画像処理装置１０の各機能を実現する。
ＲＯＭ１０２は、ＣＰＵ１０１が実行する各種プログラムや、予め定められた固定データ等を記憶するメモリである。ＲＡＭ１０３は、ＣＰＵ１０１の作業用メモリ等として用いられるメモリである。
【００１３】
不揮発性メモリ１０４は、電源を供給しなくても記憶している情報を保持することが可能なメモリであり、画像調整に用いられるパラメータや、各種の履歴データを記憶する。
ＨＤＤ（Hard Disk Drive）１０５は、例えば磁気ディスク装置であり、画像読取部１１９が読み取った画像データや、画像形成部１２０における画像形成にて用いられる画像データや、後述する生体情報管理データなどを記憶する。
【００１４】
画像データ処理部１０６は、画像データの伸張圧縮処理など、画像データに対する処理を行う。
認証制御部１０７は、ＩＣ（Integrated Circuit）カードリーダ１０８と、カメラ１０９を制御する。ＩＣカードリーダ１０８は、情報の記録や演算をするために集積回路（ＩＣ）が組み込まれたＩＣカードを読み取り、ＩＣカードに記録された情報を取得する。また、カメラ１０９は、カメラによってＵＩ１１０を操作するユーザを含む画像を撮影する。
また、ＣＰＵ１０１、ＲＯＭ１０２、ＲＡＭ１０３、不揮発性メモリ１０４、ＨＤＤ１０５、画像データ処理部１０６、認証制御部１０７の各機能部は、バスを介して互いに接続されている。
【００１５】
ＵＩ（User Interface）１１０は、ＵＩインタフェース（ＩＦ）１１１を介してバスと接続されている。そして、ＵＩ１１０は、ユーザの接触操作を受け付ける操作部１１２および各種画像の表示を行うモニタ１１３を有している。
なお、ＵＩ１１０は、例えば図１に示すように、モニタと操作部とが一体に構成されるとともに、画像処理装置１０本体に対して着脱可能に構成された着脱操作パネル１３０であっても構わない。
【００１６】
操作部１１２は、ユーザによる画像処理装置１０の各種画像処理を開始させる開始指示を受け付けるスタートキー３０（図３参照）、画像処理を停止させるストップキー、および数字情報を受け付けるためのテンキーなどのハードキーを備えて構成される。そして、操作部１１２は、画像処理装置１０において画像処理に関する指示のユーザの操作を受け付ける。特に、スタートキー３０は、プリント機能、スキャン機能、コピー機能およびファクシミリ機能等の画像処理機能の開始の開始指示を受け付ける。
【００１７】
また、実施形態１では、操作部１１２は、ユーザの健康管理のための生体情報（以下、生体情報と称する）を検出する検出センサの一例としての生体情報センサ３５（図３参照）を有している。
生体情報は、例えば脈拍、体温、心電図、血圧、体脂肪率などの健康管理に関する情報を例示することができる。実施形態１では、画像処理装置１０に対して画像処理に関する指示を行う際に、画像処理装置１０に触れる「手」などに対して計測を行うことによって得られる情報を対象としている。なお、生体情報としては、「手」に限らず、ユーザの身体の一部の部位を画像処理装置１０に接触させることで得られる身体の情報であれば構わない。
なお、実施形態１では、生体情報センサ３５は、スタートキー３０に設けられている。スタートキー３０の構成については、後に詳しく説明する。
【００１８】
モニタ１１３は、例えば液晶モニタなどにより構成することができる。また、実施形態１では、モニタ１１３がタッチパネル方式のデバイスによって構成され、ユーザの操作を受け付ける操作部としても機能する。
【００１９】
ＬＡＮ（Local Area Network）ポート１１４は、外部とデータを入出力するためのインタフェースである。なお、実施形態１では、ＬＡＮポート１１４は、無線通信のインタフェースとしての役割も果たす。
Ｓｅｒｉａｌポート１１５は、外部の周辺機器を接続するためのインタフェースである。
ＵＳＢ（Universal Serial Bus）ポート１１６は、ＵＳＢケーブルを介して周辺機器を接続するためのインタフェースである。
モデム１１７は、ファクシミリなどの公衆回線への接続を行う制御部であり、各種ファクシミリ機能を提供可能とする。
また、ＬＡＮポート１１４、Ｓｅｒｉａｌポート１１５、ＵＳＢポート１１６、モデム１１７は、通信ＩＦ１１８を介してバスと接続されている。
【００２０】
画像読取部１１９は、用紙等に記録された画像を読み取る。
画像形成部１２０は、記録媒体の一例としての用紙等に画像を形成する。ここで、画像形成部１２０は、例えばプリンタであり、感光体に付着させたトナーを用紙に転写して像を形成する電子写真方式や、インクを記録媒体に吐出して像を形成するインクジェット方式などを用いることができる。
また、画像読取部１１９及び画像形成部１２０は、装置ＩＦ１２１を介してバスと接続されている。
なお、実施形態１では、画像読取部１１９または画像形成部１２０、ファクシミリ機能を実現するモデム１１７などが画像処理部の一例として機能する。
【００２１】
なお、図２は、実施形態１が適用されるのに好適な画像処理装置１０のハードウェア構成を例示するに過ぎず、図示の構成に限定されるものではない。
【００２２】
（スタートキー３０）
図３は、実施形態１のスタートキー３０を示す図である。
なお、図３（ａ）はスタートキー３０の上面図であり、図３（ｂ）は図３（ａ）に示すIIIｂ−IIIｂ線の断面図である。
スタートキー３０は、図３（ａ）および図３（ｂ）に示すように、カバー部材３１と、カバー部材３１に取り付けられる押付部３２と、押付部３２の下方にて押付部３２に対向配置されるスイッチ３３と、基板３４と、取得部の一例としての生体情報センサ３５とを有する。そして、スタートキー３０は、ユーザの接触操作を受け付ける。
【００２３】
カバー部材３１は、実施形態１では、矩形状の概形を有する部材である。そして、カバー部材３１は、押付部３２の後述するボタン部３２１が貫通する開口部３１Ｈと、後述するボタン部３２１を支持するヒンジ３１Ｓとを有している。
【００２４】
押付部３２は、ボタン部３２１と、連結部３２２と、スイッチ接触部３２３とを有する。
ボタン部３２１は、ユーザ側に向けて突出する形成される部品であって、実施形態１ではカバー部材３１の開口部３１Ｈに取り付けられる。そして、ボタン部３２１は、スタートキー３０を操作するユーザの操作を受ける部位を形成する。
また、ボタン部３２１は、凹部３２１Ｕを有する。凹部３２１Ｕは、図３（ｂ）に示すように、ユーザの指先に沿うように窪んでいる。これによって、実施形態１のボタン部３２１は、後述するように赤外線によって脈拍を計測する際に、指先が圧迫されることによる血流への影響により脈拍の計測精度の低下を抑制している。
【００２５】
連結部３２２は、カバー部材３１との連結箇所を形成する部分である。連結部３２２は、図３（ｂ）に示すように、カバー部材３１のヒンジ３１Ｓに取り付けられる。そして、この連結部３２２を支点として、押付部３２全体が揺動するように変位する。
スイッチ接触部３２３は、押付部３２がユーザの操作を受け、連結部３２２を支点にして変位した際に、スイッチ３３に接触する箇所を形成する。
【００２６】
スイッチ３３は、実施形態１では、押付部３２のスイッチ接触部３２３が接触することで、ＯＮ信号（開始指示）を発生させる。
【００２７】
基板３４には、スイッチ３３および生体情報センサ３５が実装される。なお、基板３４には、不図示のコネクタが設けられ、このコネクタを介して、スイッチ３３および生体情報センサ３５に対する電力供給や信号の入出力が行われる。
【００２８】
生体情報センサ３５は、実施形態１では、赤外線発光部３５Ｌおよび赤外線受光部３５Ｒを有する。本実施形態では、ユーザの指（操作部位の一例）がスイッチ３３にてＯＮ信号（指示信号）を発生させる位置に移行した際に、その指にて生体情報を検出するようにしている。
赤外線発光部３５Ｌは、実施形態１では、ユーザの指先に対して赤外線を照射する。具体的には、赤外線発光部３５Ｌは、押付部３２が押し込まれた状態にて、押付部３２を押すユーザの指先に向けて赤外線を照射されるように、赤外線の照射角度が定められている。
赤外線受光部３５Ｒは、赤外線発光部３５Ｌから照射され、実施形態１ではユーザの指先にて反射した赤外線を受光可能に構成されている。
【００２９】
そして、実施形態１の生体情報センサ３５は、赤外線発光部３５Ｌにてユーザの指先に赤外線を照射し、指先を反射した赤外線を赤外線受光部３５Ｒにて受光する。これによって、生体情報センサ３５は、指先における変動を検出し、そのユーザの脈拍を測定する。
【００３０】
なお、生体情報センサ３５にサーミスタなどの素子を用いることで、ユーザの体温を測定しても良い。また、生体情報センサ３５に電極を組み込むことによって、ユーザの心電図や体脂肪率を測定したりしても良い。さらに、生体情報センサ３５に圧力計を用いることで、ユーザの血圧を測定しても良い。
【００３１】
〔画像処理装置１０の機能構成〕
図４は、実施形態１の画像処理装置１０の機能構成例を示したブロック図である。
図４に示すように、画像処理装置１０は、特定部の一例としてのユーザ認証を行うユーザ認証部１１と、ユーザからの操作入力を受け付けるＵＩ処理部１２と、画像形成部における画像処理の実行指示を行う実行指示部１３と、送信部および管理情報作成部の一例としての生体情報を管理する生体情報管理部１４とを備える。
なお、実施形態１では、ＵＩ処理部１２および実行指示部１３が、操作部の一例として機能する。
【００３２】
ユーザ認証部１１は、受け付けた認証情報をもとにユーザ認証を行う。実施形態１では、ユーザ認証部１１は、ＩＣカードリーダ１０８を介して受け付けた認証情報が、認証情報リストに登録されているか否かを判定する。ユーザ認証部１１は、認証情報が認証情報リストに登録されていれば、ユーザ認証が成功したとして、そのユーザを承認する。
【００３３】
ＵＩ処理部１２は、ユーザからの操作入力を受け付ける。ここで、ＵＩ処理部１２は、例えば、ユーザが操作部１１２のハードキーを押下することで、画像処理装置１０に対して直接操作する際の操作入力を受け付ける。
また、ＵＩ処理部１２は、スタートキー３０が接触操作されスイッチ３３が押されることで発生するＯＮ信号（開始指示）を実行指示部１３に送信する。さらに、ＵＩ処理部１２は、スタートキー３０において赤外線受光部３５Ｒが受光した受光信号（生体情報）を生体情報管理部１４に送信する。
【００３４】
実行指示部１３は、ＵＩ処理部１２からＯＮ信号を取得した場合に、画像処理の対象となる機能に実行指示データを送信し、画像処理を開始させる。例えば、コピー機能が選択された状態にて、ＯＮ信号を受信した際には、画像読取部１１９および画像形成部１２０における各々の画像処理を開始させる。
【００３５】
生体情報管理部１４は、生体情報センサ３５から生体情報を取得する。また、生体情報管理部１４は、ユーザ認証部１１からユーザ認証に関する情報を取得する。そして、実施形態１では、ユーザ認証部１１にてユーザ認証が行われ、その認証操作の直後や、認証操作のタイミングから予め定めた時間内に取得した生体情報を、ユーザ認証を行ったユーザに関連付けて保存する。ユーザ認証が行われた後に生体情報が得られる場合、その生体情報はユーザ認証をしたユーザのものである蓋然性が高い。そのため、実施形態１では、ユーザ認証部１１におけるユーザ認証のタイミングと、ＵＩ処理部１２にて生体情報が取得されたタイミングとに時間に関する一定の条件を設けている。
【００３６】
また、生体情報管理部１４は、ユーザに関連付けられた生体情報に関して、複数ユーザの一覧を作成したり、個人ごとに経時変化を示すグラフ化したりするなど、ユーザに提供するための生体情報管理データ（管理情報の一例）を作成する。そして、生体情報管理部１４は、生体情報管理データを画像出力する。具体的には、生体情報管理部１４は、ユーザからの指示に応じて、生体情報管理データを画像形成部１２０にて印刷出力する。また、生体情報管理部１４は、例えば端末装置２１や携帯端末装置２２などからの要求に応じて、電子化した生体情報管理データを送信出力する。
【００３７】
さらに、実施形態１では、生体情報管理部１４は、スタートキー３０にてユーザの操作が行われ、生体情報を取得したタイミングで、モニタ１１３に生体情報を表示する。また、その際に、ユーザ認証が行われたユーザの生体情報管理データをモニタ１１３に表示する。この際に、実施形態１では、生体情報管理部１４は、生体情報管理データに基づいて、最新の生体情報の内容が、例えば健康維持の観点に基づいて、良好か否か等のメッセージをモニタ１１３に表示する。
なお、図１に示す着脱操作パネル１３０に生体情報管理データを表示するようにしても良い。
【００３８】
なお、ユーザ認証部１１、ＵＩ処理部１２、実行指示部１３および生体情報管理部１４、例えば、図２に示すハードウェア構成におけるＣＰＵ１０１により実現される。加えて、ユーザ認証部１１については、ＩＣカードリーダ１０８などにより実現される。また、ＵＩ処理部１２については、モニタ１１３および操作部１１２などにより実現される。生体情報管理部１４による生体情報管理データの保存は、ＨＤＤ１０５やＲＡＭ１０３などによって実現される。
【００３９】
なお、ＣＰＵ１０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像処理装置１０にダウンロードさせても良い。
【００４０】
［画像処理システム１の動作］
例えば、ユーザが画像処理装置１０においてコピー機能を利用する際に、生体情報として脈拍を測定する場合を例に説明する。
ユーザは、ＩＣカードリーダ１０８にＩＣカードをかざす。そして、ユーザ認証部１１にてユーザの承認を受ける。また、ユーザは、画像読取部１１９に読み取り対象の原稿をセットする。そして、ユーザは、コピー機能を開始するために、指によってスタートキー３０の押付部３２を押下する。
【００４１】
ユーザがスタートキー３０を押す操作を行う際に、スタートキー３０を押すユーザの指先に対して、赤外線発光部３５Ｌから赤外線が照射される。そして、赤外線は、ユーザの指先を反射して、赤外線受光部３５Ｒにて受信される。このとき、赤外線の信号に基づいて、実施形態１ではユーザの脈拍が計測される。すなわち、血中ヘモグロビンは、ある波長帯の光に強い吸収スペクトルを持っている。例えば赤外線などの波長帯の光を照射した時の生体の透過光や反射光は、血管の容量変動に伴い変化するヘモグロビン量に応じて変化する。従って、透過光や反射光の強度を電気信号に変えることで脈波が検出される。
また、一方で、押付部３２の押下によって、スイッチ３３が押され、画像読取部１１９における原稿画像の読み取りと、画像形成部１２０におけるコピー画像の画像形成が実行される。
【００４２】
また、生体情報センサ３５にて検出された生体情報は、生体情報管理部１４にて取得され、ユーザ認証によるユーザと関連付けられて記憶される。なお、実施形態１では、モニタ１１３において、計測したばかりの生体情報の内容に応じて、例えば健康基準値やそのユーザの過去の生体情報の内容に基づいて、メッセージを表示する。例えば、測定結果が健康基準値を満たしている場合には、「その調子で、健康を維持してください」といったように、健康状態の維持を促すメッセージを表示する。一方で、測定結果が健康基準値を下回るような場合には、「体調管理に努めて下さい」といったように、健康改善を促すメッセージを表示する。これによって、本実施形態では、例えば画像処理が完了するまでの処理待ちの時間の有効利用を図っている。
【００４３】
ここで、モニタ１１３にて生体情報を表示する際には、例えばユーザがスタートキー３０を操作している間だけ表示を行ったり、スタートキー３０の操作から予め定められた時間だけ表示を行うようにしたりしても良い。これによって、モニタ１１３にて表示されるユーザの生体情報が、他のユーザに見られないようにしても構わない。
【００４４】
なお、生体情報管理データは、画像形成部１２０にて印刷出力したり、ネットワークを介して外部の端末装置２１や携帯端末装置２２に生体情報管理データを送信出力したりする。これによって、例えばユーザ個人や企業などにおいては複数の社員の健康管理に利用することも可能になる。
【００４５】
以上説明したとおり、実施形態１の画像処理装置１０では、本来的に、脈拍を計測するための装置ではなく、脈拍を計測するのとは異なる機能を実行する装置の操作部に、敢えて生体情報を検出する生体情報センサ３５を設けた。これによって、実施形態１では、ユーザが画像処理装置１０の機能を実行するために操作を行った際に、自動的に生体情報が取得されるようにして、生体情報の収集を確実に行えるようにした。
【００４６】
なお、ユーザの特定と生体情報の検出とを並行して行うことで、検出される生体情報とその生体情報を得たユーザとの関係性を確実にしても良い。
例えば、ユーザ認証は、例えば操作部１１２を操作するユーザを撮影するカメラ１０９によって行うようにしても良い。この場合、カメラ１０９によって操作部１１２を操作するユーザの動作検出と、ユーザの顔などの認証のための画像検出との両方を並行して行うことができるため、ユーザ認証されたユーザが操作部１１２を操作している蓋然性は、例えばＩＣカードリーダ１０８を用いたユーザ認証の場合と比較して高まる。なお、カメラ１０９を用いた場合のユーザ認証は、眼の光彩を利用したものや、顔のパーツの相対位置などを利用したものを用いることができる。
【００４７】
また、ユーザ認証を行う際に、生体情報センサ３５によって生体情報を検出するようにしても良い。この場合、例えばＩＣカードリーダ１０８にＩＣカードを読ませる際に、ＩＣカードのユーザの身体の一部が生体情報センサ３５に接触するようにし、生体情報の検出とユーザ認証とを並行して行う。これによって、ユーザと、そのユーザの生体情報との関係性が高まる。
【００４８】
さらには、ユーザ認証を指紋による認証、静脈による認証方式を用いても構わない。この場合、例えば手に対して、ユーザ認証と生体情報の検出とを並行して行うことができるため、生体情報とユーザとの関係性を確実にすることが可能になる。
【００４９】
また、操作部１１２は、画像処理装置１０に固定されることに限定されない。
例えば、図１に示す着脱操作パネル１３０のように、画像処理装置１０本体とは別体（外部）に設けられていても良い。この場合、着脱操作パネル１３０に、生体情報センサ３５を設ける。そして、着脱操作パネル１３０の生体情報センサ３５にて取得した生体情報を、画像処理装置１０に送信するようにしても良い。
【００５０】
特に、例えば着脱操作パネル１３０のようなユーザ自信が保持して使用するような保持端末の場合、ユーザは、保持端末に対して複数箇所にて触れることになる。従って、保持端末の場合には、複数箇所での接触によって測定することが好ましいような、例えば心電図や体脂肪率などの生体情報の検出を実現し易い構成となる。
同様の観点で、例えば携帯端末装置２２においてユーザが操作する操作部に生体情報センサ３５を設けても良い。
【００５１】
さらにまた、実施形態１では、スタートキー３０に生体情報センサ３５を設ける例を用いて説明したが、スタートキー３０に設けることに限定されない。例えば、生体情報センサ３５は、原稿や用紙のサイズを設定する各種設定部（設定ボタン）や、画像形成装置の様々な機能を選択する機能選択部（メニューボタン）に設けても良い。
【００５２】
また、画像処理装置１０に生体情報センサ３５を設けることに限定されるものではない。画像処理装置１０の他、ファクシミリ装置やＰＣなどに生体情報センサ３５を設けても良い。さらにまた、ＰＣそのものに限定されず、ＰＣに接続するインタフェースなどのユーザの操作を受け付ける操作部に設けていても良い。具体的には、ＰＣに接続するキーボードに画像処理装置１０にて印刷を実行するショートカットキーに生体情報センサ３５を設けることが例示できる。
【００５３】
＜実施形態２＞
続いて、実施形態２の画像処理システム１について説明する。
なお、上述した実施形態１と同様な構成については、同一の符号を付してその詳細な説明を省略する。
【００５４】
実施形態２では、ＩＣカードに格納したり、ＩＣカードのユーザに関連付けたりして、そのユーザが健康管理を要求するか否かの健康管理要否情報を例えば図２に示すＨＤＤ１０５に記憶させておく。そして、ＵＩ処理部１２では、健康管理要否情報に応じて、操作部１１２のスタートキー３０にて画像処理の機能の実行の操作を受け付ける際の、操作の態様を異ならせるように構成する。
【００５５】
実施形態の２のＵＩ処理部１２では、健康管理要否情報に基づいて、生体情報の検出が必要な場合と、生体情報の検出が不要な場合とで、ユーザに要求する接触操作の態様を異ならせる。本実施形態では、スタートキー３０を押し付けさせる時間を異ならせるようにしている。
例えば、健康管理を必要とするユーザに対しては、スタートキー３０を押し付ける時間を長く（例えば３秒など）設定し、予め定めた時間スタートキー３０を押し続けないと、画像処理の機能が実行されないようにする。これによって、例えば生体情報センサ３５によって、脈拍などの生体情報を確実に測定することができ、生体情報管理データの信頼性が向上する。
一方で、健康管理が不要なユーザに対しては、スタートキー３０を押し付ける時間を短く（例えば０．１秒など）設定し、比較的早く起動するようにする。これによって、健康管理を必要としないユーザにとっては、処理の開始が早まり、画像処理装置１０の利便性が保たれる。
【００５６】
＜実施形態３＞
図５は、実施形態３の画像処理システム１を説明するための図である。
図５（ａ）には眼鏡型端末装置２３を示し、図５（ｂ）には腕時計型端末装置２４を示している。
なお、上述した実施形態１と同様な構成については、同一の符号を付してその詳細な説明を省略する。
【００５７】
実施形態３において、眼鏡型端末装置２３および腕時計型端末装置２４は、それぞれ画像処理システム１のネットワーク（図１）を介して画像処理装置１０にアクセス可能に構成されている。
【００５８】
図５（ａ）に示すように、眼鏡型端末装置２３は、映像投影部２３１と、カメラ部２３２と、スクリーンに相当するレンズ部２３３と、操作部２３４と、生体情報センサ３５と、を有している。
眼鏡型端末装置２３は、例えば映像投影部２３１によってレンズ部２３３に映像を投影する。また、カメラ部２３２によって、撮影することができる。
また、操作部２３４は、映像投影部２３１、カメラ部２３２に対する機能の操作を受け付ける。さらに、生体情報センサ３５は、実施形態３では、ユーザの身体の一部である耳の周辺に接触し、そのユーザの脈拍などの生体情報を検出する。
【００５９】
図５（ｂ）に示すように、腕時計型端末装置２４は、時刻などを表示する表示部２４１と、ＧＰＳ（Global Positioning System）等の位置情報を取得する位置情報取得部２４２と、操作部２４３と、生体情報センサ３５と、を有している。
腕時計型端末装置２４は、例えば位置情報取得部２４２によって、ユーザの位置と、時間とを関連付ける。そして、例えばユーザがランニングなどのスポーツを行う際に、走行距離や走行時間などの各種情報を得ることができる。さらに、生体情報センサ３５は、実施形態３では、ユーザの身体の一部である手首や腕に接触し、脈拍や血圧などの生体情報を検出する。
【００６０】
以上のように構成される眼鏡型端末装置２３では、カメラ部２３２にて撮影した画像などを画像処理装置１０にて印刷出力する際に、生体情報センサ３５が取得している生体情報を画像処理装置１０に送信する。
同様に、腕時計型端末装置２４では、例えば画像処理装置１０に対して、時間に関連付けられた位置情報を送信して印刷する際に、生体情報センサ３５が取得している生体情報を画像処理装置１０に送信する。
これによって、実施形態３では、ユーザが眼鏡型端末装置２３や腕時計型端末装置２４
から画像処理装置１０への印刷指示を行う際に、生体情報センサ３５が取得した生体情報を画像処理装置１０に送信することができる。従って、ユーザの生体情報が確実に収集される。
【００６１】
また、例えば実施形態１のように、眼鏡型端末装置２３や腕時計型端末装置２４において、画像処理装置１０に対する印刷出力等のための操作を行う操作ボタンに、生体情報センサ３５を一体的に組み込んでも構わない。
【００６２】
＜実施形態４＞
図６は、実施形態４が適用される端末装置２１を示す図である。
なお、上述した実施形態１と同様な構成については、同一の符号を付してその詳細な説明を省略する。
【００６３】
図６（ａ）および図６（ｂ）は、画像処理装置１０（図１参照）に印刷情報を送信する端末装置２１のキーボード２１０に生体情報センサ３５の一例としての体組成測定用の電極（第１電極２１２ａおよび第２電極２１２ｂ）を実装した形態をそれぞれ示している。
【００６４】
図６（ａ）に示すように、キーボード２１０は、アームレスト部２１１に体組成測定用の第１電極２１２ａおよび第２電極２１２ｂをそれぞれ有している。
そして、図６（ａ）に示す端末装置２１では、ユーザがアームレスト部２１１に手や腕を置いているときに、掌や手首の周辺に接触している状態で第１電極２１２ａおよび第２電極２１２ｂにて微弱電流を流して体脂肪率などを測定する。測定した測定データは、例えば端末装置２１のＨＤＤなどの記憶部に格納しておく。
【００６５】
また、図６（ｂ）に示す端末装置２１のキーボード２１０は、複数のキー部のうちの特定のキー部２１３ａ,２１３ｂに体組成測定用の第１電極２１２ａおよび第２電極２１２ｂをそれぞれ有している。特定のキー部としては、例えばユーザが端末装置２１にログインを行う際に必ず押すようなキー部（例えば「Ｃｔｒｌ」キー、「Ａｌｔ」キー、「Ｄｅｌｅｔｅ」キー部など）に第１電極２１２ａおよび第２電極２１２ｂを実装しておくことが例示できる。
そして、図６（ｂ）に示す端末装置２１では、ユーザが端末装置２１にログインするタイミングにて、第１電極２１２ａおよび第２電極２１２ｂにて微弱電流を流して体脂肪率などを測定する。そして、測定した測定データは、例えば端末装置２１のＨＤＤなどの記憶部に格納しておく。
【００６６】
以上のように構成される実施形態４の端末装置２１では、画像などを画像処理装置１０にて印刷出力する際に、生体情報センサ３５が取得している生体情報を画像処理装置１０に送信する。
これによって、ユーザが端末装置２１から画像処理装置１０への印刷指示を行う際に、生体情報センサ３５が取得した生体情報を画像処理装置１０に送信することができる。従って、ユーザの生体情報が確実に収集される。
【００６７】
なお、生体情報センサ３５を搭載する装置は、上述した実施形態１〜実施形態４に例示した物に限定されるものではない。ただし、生体情報管理データの共有や、複数ユーザの一括管理などの観点からは、ネットワークに接続可能なネットワーク接続機器に生体情報センサ３５を設ける構成が好ましい。
また、生体情報管理部１４は、画像処理装置１０と別体の例えば外部サーバー等に設けられていても良く、その場合には端末装置２１から当該外部サーバー等に生体情報が送信されるように構成する。
【符号の説明】
【００６８】
１…画像処理システム、１０…画像処理装置、１１…ユーザ認証部、１２…ＵＩ処理部、１３…実行指示部、１４…生体情報管理部、３０…スタートキー、３５…生体情報センサ
【図１】
0006409380.tif 000002
【図２】
0006409380.tif 000003
【図３】
0006409380.tif 000004
【図４】
0006409380.tif 000005
【図５】
0006409380.tif 000006
【図６】
0006409380.tif 000007